(57)【要約】【課題】タブが変形するのを防止する。【解決手段】フード部１０内には、少なくとも複数のタブ２０、２１を挟んだ高さ方向両側にそれぞれ幅方向に３つ以上並んで配置された進入規制部３０、３１、３２が突出して配置されている。タブ２０、２１を挟んで、隣接配置された複数の進入規制部３０、３１、３２の内側には、落とし込み空間３Ａ〜３Ｅが幅方向に複数連続して形成されている。フード部１０内に前方から挿入される球面体２０１の球面が複数の進入規制部３０、３１、３２の前端に当接して、球面体２０１の中心軸上の頂点２０２が落とし込み空間３Ａ〜３Ｅ内に進出する場合に、複数の落とし込み空間３Ａ〜３Ｅのいずれにおいても、タブ２０、２１が頂点２０２と平面視で異なる位置に配置される。【選択図】図１
2014053146.tif 000002
【特許請求の範囲】
【請求項１】
奥壁の前面から前方に周壁が突出してなるフード部と、
前記奥壁に対して幅方向に並列に装着され、前記フード部内において前方へ突出して配置される複数のタブと、
前記フード部内において、少なくとも前記複数のタブを挟んだ高さ方向両側にそれぞれ幅方向に３つ以上並んで配置され、前端が前記タブの前端よりも前方に位置する複数の進入規制部とを備え、
前記フード部内において、前記タブを挟んで、隣接して配置された複数の前記進入規制部の内側に、落とし込み空間が形成され、前記落とし込み空間が幅方向に複数連続して配置されており、
前記フード部内に前方から球面体が挿入され、前記球面体の球面が前記複数の前記進入規制部の前端に当接して、前記球面体の中心軸上の頂点が前記落とし込み空間内に進出するように、前記球面体が落とし込まれた場合に、前記複数の落とし込み空間のいずれにおいても、前記タブが前記頂点と平面視で異なる位置に配置されるようにしたことを特徴とするコネクタ。
【請求項２】
前記高さ方向両側に配置された前記複数の進入規制部がそれぞれ幅方向にほぼ同一ピッチで離間して配置される整列領域を有し、
前記高さ方向両側に配置された前記複数の進入規制部の間に位置する前記複数のタブがそれぞれ幅方向にほぼ同一ピッチで離間して配置される整列領域を有していることを特徴とする請求項１記載のコネクタ。
【請求項３】
前記高さ方向両側に配置された前記複数の進入規制部のそれぞれと、前記高さ方向両側に配置された前記複数の進入規制部の間に位置する前記複数のタブのそれぞれとが、幅方向でラップするように配置されたラップ領域を有していることを特徴とする請求項１又は２記載のコネクタ。
【請求項４】
前記ラップ領域には、前記複数の進入規制部のそれぞれの幅方向中心と、前記複数のタブのそれぞれの幅方向中心とが、幅方向で同じ位置に配置された同位相領域が含まれていることを特徴とする請求項３記載のコネクタ。
【請求項５】
前記ラップ領域では、前記複数の進入規制部のそれぞれが、前記複数のタブのそれぞれと同じかあるいは同タブよりも大きい幅寸法を有していることを特徴とする請求項３又は４記載のコネクタ。
【請求項６】
前記進入規制部の前端が、前記落とし込み空間側に向けて前方へ迫り出す逆テーパ状をなしていることを特徴とする請求項１ないし５のいずれか１項記載のコネクタ。
【請求項７】
前記高さ方向両側に配置された前記複数の進入規制部が、前記周壁の内面に一体に連結されており、前記周壁の外面には、前記複数の進入規制部のそれぞれと対向する反対側の位置に、複数の肉盗み部が凹み形成されていることを特徴とする請求項１ないし６のいずれか１項記載のコネクタ。
【請求項８】
前記周壁の外面には、前後方向と交差する方向に延出して前記複数の肉盗み部に連通し、且つ延出方向両端が開放された水抜き部が凹み形成されていることを特徴とする請求項７記載のコネクタ。
【請求項９】
前記高さ方向両側に配置された前記複数の進入規制部が、前記周壁の内面に一体に連結されており、このうち、少なくとも１つの進入規制部が、前記周壁の内面に連結される幅狭の基端部と、前記落とし込み空間に臨む、前記基端部よりも幅広の先端部とを有していることを特徴とする請求項１ないし８のいずれか１項記載のコネクタ。
【請求項１０】
前記複数の進入規制部の全部又は一部が、前記周壁から離間して配置されていることを特徴とする請求項１ないし６のいずれか１項記載のコネクタ。
【発明の詳細な説明】
【技術分野】
【０００１】
本発明は、コネクタに関する。
【背景技術】
【０００２】
特許文献１には、相手コネクタと嵌合可能な筒状のフード部を備えたコネクタが開示されている。フード部は、奥壁とその周縁部から前方に突出する周壁とからなる。奥壁には幅方向に並列に配置された複数のタブが装着されている。各タブは、フード部内において前方へ突出して配置されている。
【０００３】
また、フード部内には、複数のリブが突出して形成され、相手コネクタのハウジングには、各リブを受ける複数のリブ受け溝が形成されている。各リブ受け溝内に各リブが嵌合することにより、両ハウジングの嵌合動作が円滑に進行する一方、両ハウジングが正規と異なる不正な嵌合姿勢をとる場合には、各リブの先端が相手コネクタの壁面に干渉して、両ハウジングの嵌合動作が規制されるようになっている。
【先行技術文献】
【特許文献】
【０００４】
【特許文献１】特開２０１１−４０３２７号公報
【発明の概要】
【発明が解決しようとする課題】
【０００５】
上述した各リブはコネクタの誤嵌合防止等を目的とするため、各リブの配列にとくに規則性はなく、各リブの本数が少ないのに加え、各リブと各タブとの位置関係についてもとくに配慮されていなかった。このため、フード部内に前方から偶発的に異物が挿入されると、異物が各リブ間をすり抜けてタブと干渉し、タブが変形するおそれがあった。とりわけ、指のような先端が半球面状をなす球面体が挿入されると、球面体の頂点部分がフード部内の奥側に進出するため、リブの先端が球面体の頂点部分と干渉し易いという事情があった。
【０００６】
本発明は上記のような事情に基づいて完成されたものであって、タブが変形するのを防止することを目的とする。
【課題を解決するための手段】
【０００７】
本発明のコネクタは、奥壁の前面から前方に周壁が突出してなるフード部と、前記奥壁に対して幅方向に並列に装着され、前記フード部内において前方へ突出して配置される複数のタブと、前記フード部内において、少なくとも前記複数のタブを挟んだ高さ方向両側にそれぞれ幅方向に３つ以上並んで配置され、前端が前記タブの前端よりも前方に位置する複数の進入規制部とを備える。前記フード部内において、前記タブを挟んで、隣接して配置された複数の前記進入規制部の内側に、落とし込み空間が形成され、前記落とし込み空間が幅方向に複数連続して配置されている。前記フード部内に前方から球面体が挿入され、前記球面体の球面が前記複数の前記進入規制部の前端に当接して、前記球面体の中心軸上の頂点が前記落とし込み空間内に進出するように、前記球面体が落とし込まれた場合に、前記複数の落とし込み空間のいずれにおいても、前記タブが前記頂点と平面視で異なる位置に配置されるようにしたところに特徴を有する。
【発明の効果】
【０００８】
本発明によれば、フード部内に前方から球面体が挿入されると、球面体の球面が隣接する複数の進入規制部の前端に当接して、球面体の中心軸上の頂点が落とし込み空間内に進出することになるが、このとき、タブが頂点と平面視で異なる位置に配置されているため、頂点にタブが干渉することはなく、球面体のような異物によってタブが変形するのを防止することができる。
【図面の簡単な説明】
【０００９】
【図１】本発明の実施例１のコネクタの正面図である。
【図２】フード部内に球面体が挿入された状態における図１のＡ−Ａ断面図である。
【図３】同じく図１のＢ−Ｂ断面図である。
【図４】同じく図１のＣ−Ｃ断面図である。
【図５】同じく図１のＤ−Ｄ断面図である。
【図６】同じく図１のＥ−Ｅ断面図である。
【図７】同じく図１のＦ−Ｆ断面図である。
【図８】コネクタの平面図である。
【図９】コネクタの断面図である。
【図１０】相手コネクタの断面図である。
【図１１】正規嵌合状態にある両コネクタの断面図である。
【図１２】実施例２のコネクタの正面図である。
【図１３】フード部内に球面体が挿入された状態における図１２のＧ−Ｇ断面図である。
【図１４】実施例３のコネクタの正面図である。
【図１５】実施例４のコネクタの正面図である。
【図１６】実施例５のコネクタの正面図である。
【図１７】実施例６のコネクタの正面図である。
【図１８】コネクタの平面図である。
【図１９】図１８のＨ−Ｈ断面図である。
【図２０】実施例７のコネクタの平面図である。
【図２１】図２０のＩ−Ｉ断面図である。
【図２２】実施例８のコネクタの正面図である。
【図２３】図２２のＪ−Ｊ断面図である。
【発明を実施するための形態】
【００１０】
本発明の好ましい形態を以下に示す。
前記高さ方向両側に配置された前記複数の進入規制部がそれぞれ幅方向にほぼ同一ピッチで離間して配置される整列領域を有し、前記高さ方向両側に配置された前記複数の進入規制部の間に位置する前記複数のタブがそれぞれ幅方向にほぼ同一ピッチで離間して配置される整列領域を有している。これにより、整列領域では各落とし込み空間の開口幅もほぼ同一となるため、部分的に開口幅の広い落とし込み空間が生じることはなく、開口幅の広い落とし込み空間内に球面体の頂点が深く進出して、タブが球面体に干渉するのを回避することができる。
前記高さ方向両側に配置された前記複数の進入規制部のそれぞれと、前記高さ方向両側に配置された前記複数の進入規制部の間に位置する前記複数のタブのそれぞれとが、幅方向でラップするように配置されたラップ領域を有している。こうすると、落とし込み空間内に球面体の頂点が進出した場合に、タブが頂点から離れて位置することになるため、タブが球面体と干渉するのをより確実に回避することができる。
【００１１】
前記ラップ領域には、前記複数の進入規制部のそれぞれの幅方向中心と、前記複数のタブのそれぞれの幅方向中心とが、幅方向で同じ位置に配置された同位相領域が含まれている。このような同位相領域が含まれていると、タブと進入規制部との位置関係が明確になり、タブと進入規制部の配列の規則性を担保することができる。
【００１２】
前記ラップ領域では、前記複数の進入規制部のそれぞれが、前記複数のタブのそれぞれと同じかあるいは同タブよりも大きい幅寸法を有している。こうすると、タブが進入規制部によって保護されて異物と干渉し難くなるため、タブが変形するのをより確実に防止することができる。
【００１３】
前記進入規制部の前端が、前記落とし込み空間側に向けて前方へ迫り出す逆テーパ状をなしている。こうすると、フード部内に挿入された異物が落とし込み空間の外側に誘導されてタブと干渉するのをより確実に回避することができる。
【００１４】
前記高さ方向両側に配置された前記複数の進入規制部が、前記周壁の内面に一体に連結されており、前記周壁の外面には、前記複数の進入規制部のそれぞれと対向する反対側の位置に、複数の肉盗み部が凹み形成されている。このような肉盗み部により、成形時にフード部の周壁にヒケが生じたりするのを防止することができる。また、これにより、進入規制部の基端部（フード部の周壁に連結される部分）の幅寸法を大きくとることができる。
【００１５】
前記周壁の外面には、前後方向と交差する方向に延出して前記複数の肉盗み部に連通し、且つ延出方向両端が開放された水抜き部が凹み形成されている。周壁の外面に凹み形成された肉盗み部内には水が溜まりやすいという事情があるものの、この構成によれば、肉盗み部内に浸入した水を水抜き部を通して外部に排水することができるため、肉盗み部内に水溜まりが発生するのを防止することができる。
【００１６】
前記高さ方向両側に配置された前記複数の進入規制部が、前記周壁の内面に一体に連結されており、このうち、少なくとも１つの進入規制部が、前記周壁の内面に連結される幅狭の基端部と、前記落とし込み空間に臨む、前記基端部よりも幅広の先端部とを有している。進入規制部の基端部が幅狭の形態とされることで、成形時にフード部の周壁にヒケが生じたりするのを防止することができる一方、進入規制部の先端部が幅広の形態とされることで、異物と当接可能な領域を広く確保することができてタブが異物と干渉するのをより確実に防止することができる。
【００１７】
前記複数の進入規制部の全部又は一部が、前記周壁から離間して配置されている。これにより、成形時に周壁にヒケが生じたり周壁が倒れたりするのをより確実に防止することができる。
【００１８】
＜実施例１＞
本発明の実施例１を図１〜図１１によって説明する。なお、以下の説明において、前後方向については、コネクタと相手コネクタの相互の嵌合面側を前方とする。
コネクタは、合成樹脂製のフード部１０を備えている。フード部１０は、図１、図７及び図９に示すように、高さ方向及び幅方向に沿って配置される奥壁１１と、奥壁１１の前面から前方に突出し且つ幅方向に細長く延びる形態の周壁１２とを有している。図１１に示すように、フード部１０内には、前方から相手コネクタが嵌合可能とされている。図８に示すように、周壁１２の外面の幅方向両端部には、一対のカムフォロア１３が突出して形成されている。カムフォロア１３は、円柱状をなし、相手コネクタのレバー８０に形成されたカム溝８１に係合可能とされている。
【００１９】
奥壁１１には、図１及び図９に示すように、複数のタブ２０、２１が装着されている。タブ２０、２１は、導電金属製であって奥壁１１の前面から前方に突出する形態とされ、奥壁１１の前面において幅方向に複数並列に配置されている。図１に示すように、各タブ２０、２１のうち、図示右側に位置するものは、幅方向に沿って扁平な板状をなす板状タブ２１とされ、フード部１０の高さ方向略中央部に対をなして横並びで配置されている。また、各タブ２０、２１のうち、図示左側に位置するものは、前後方向に細長い角ピン状をなすピン状タブ２０とされ、上下２段で且つ幅方向に多数（３つ以上）並列に配置されている。具体的には、各ピン状タブ２０は、フード部１０の高さ方向中央より少し上方の高さ位置を挟んだ上下対称位置に配置され、高さ方向及び幅方向に関してそれぞれ同一ピッチで離間して配置されている。なお、以下の説明において、各ピン状タブ２０が配置される領域を整列領域と称する。
【００２０】
また、フード部１０内には、図１に示すように、各タブ２０、２１と平行に配置される複数の進入規制部３０、３１、３２が形成されている。各進入規制部３０、３１、３２は、奥壁１１の前面から前方に突出する形態とされ、このうち、後述する第３進入規制部３２を除くものは、前後方向に沿って周壁１２の内面に一体に連結されて、各タブ２０、２１を挟んだ高さ両側にそれぞれ幅方向に多数（３つ以上）並列に配置されている。各進入規制部３０、３１、３２の前端は、各タブ２０、２１の前端よりも前方に位置し、それぞれほぼ同じ前後位置に配置されている。
【００２１】
各進入規制部３０、３１、３２のうち、図示右端に位置するものは、周壁１２の内面に連結される幅狭の基端部３３とフード部１０内に臨む幅広の先端部３４とからなる断面略Ｔ字形の第２進入規制部３１とされ、図示右端の板状タブ２１を挟んだ高さ両側に対をなして配置されている。
【００２２】
また、各進入規制部３０、３１、３２のうち、図示左側に位置するものは、前後方向に細長く延びる略角リブ状の形態で且つ高さ方向の略全長に亘って同幅で延びる第１進入規制部３０とされ、各ピン状タブ２０のそれぞれと対応する位置に、それぞれほぼ同一ピッチで離間して配置されている。具体的には各第１進入規制部３０は、図示左端のものを除いて互いに同形同大とされ、各ピン状タブ２０のそれぞれと上下で対向してラップする位置に配置されている。より具体的には各進入規制部３０、３１、３２は、各ピン状タブ２０よりも大きい幅寸法を有し、図示左端のものを除いて、各ピン状タブ２０の幅方向中心と幅方向に関して同じ位置に幅方向中心を有している。
【００２３】
なお、第１進入規制部３０は、各ピン状タブ２０のうち図示右端のものに対応する位置には形成されていない。また、以下の説明において、各第１進入規制部３０が配置される領域を整列領域と称し、各第１進入規制部３０と各ピン状タブ２０とが幅方向に関して互いにラップする領域をラップ領域と称し、さらに、各第１進入規制部３０（図示左端のものを除く）と各ピン状タブ２０の双方の幅方向中心が幅方向に関して同じ位置に揃う領域を同位相領域と称する。
【００２４】
図２及び図６に示すように、各第１、第２進入規制部３０、３１のそれぞれの前端は、内側（フード部１０の高さ方向中央側であって、後述する落とし込み空間３Ａ〜３Ｅ側）に行くに従って次第に前方へせり出す逆テーパ部３５とされている。各第１、第２進入規制部３０、３１のそれぞれの内端は、逆テーパ部３５によってほぼ先端尖がり状の形態になっている。そして、本実施例の場合、逆テーパ部３５の傾斜角は、各第１、第２進入規制部３０、３１のそれぞれでほぼ同一に設定されている。
【００２５】
さらに、図１に示すように、各進入規制部３０、３１、３２のうち、幅方向に関して第１、第２進入規制部３０、３１の間に位置するものは、奥壁１１の周壁１２から離間する第３進入規制部３２とされ、２つの板状タブ２１のうち図示左側の板状タブ２１の周りを取り囲むように配置されている。具体的には第３進入規制部３２は、板状タブ２１とピン状タブ２０との間を隔てる板厚の大きい厚肉縦壁３６と、一対の板状タブ２１の間を隔てる厚肉縦壁３６よりも板厚の小さい薄肉縦壁３７と、厚肉縦壁３６及び薄肉縦壁３７の両上端に連結される横壁３８とを有している。
【００２６】
相手コネクタは、図１０に示すように、ハウジング５０、リテーナ６０、フロントマスク７０及びレバー８０を備えている。
ハウジング５０は、ブロック状のハウジング本体５１と、ハウジング本体５１の周りを取り囲む筒状の嵌合筒部５２とを有している。図１１に示すように、ハウジング本体５１と嵌合筒部５２との間には、前方からフード部１０の周壁１２が挿入される。ハウジング本体５１の外面にはシールリング５５が嵌着されており、嵌合時にはシールリング５５が周壁１２とハウジング本体５１との間に弾性的に圧縮され、両コネクタ間のシールをとることが可能となっている。
【００２７】
また、図１０に示すように、ハウジング本体５１には、各タブ２０、２１と対応する位置に、複数のキャビティ５３が形成されている。各キャビティ５３内には、後方から雌型端子金具９０が挿入され、さらに雌型端子金具９０に圧着されたゴム栓９５が密着して挿入される。また、各雌型端子金具９０は電線１００の端末部に接続され、各電線１００はハウジング本体５１の後面から後方に引き出される。
【００２８】
ハウジング本体５１の下面には、図１０に示すように、全キャビティ５３と連通するリテーナ装着部５４が凹み形成されている。リテーナ６０は、リテーナ装着部５４内に挿入されて各雌型端子金具９０を抜け止め状態で係止する役割をはたす。嵌合筒部５２の下壁には、リテーナ６０が通過する逃がし凹部５６が開口して形成されている。また、嵌合筒部５２の両側壁には、レバー８０が回動可能に支持されている。レバー８０には一対のカム溝８１（図１１で一部図示）が形成されている。両コネクタが浅く嵌合されたときに、両カム溝８１に両カムフォロア１３が進入し、レバー８０の回動操作に伴い、両カム溝８１の溝面を両カムフォロア１３が摺動してカム作用が発揮され、これによって両コネクタが低操作力で嵌合されるようになっている。
【００２９】
フロントマスク７０は、ハウジング本体５１の前面を覆う前板７１と、前板７１の周縁から後方に突出する周板７２とを有している、図１１に示すように、前板７１には、各キャビティ５３と対応する位置に、ピン状タブ２０を挿入可能な複数のタブ挿入孔７３が開口して形成されている。また、フロントマスク７０には、嵌合時に各進入規制部３０、３１、３２が挿入される複数の進入規制受け溝７４が形成されている。このうち、各第１、第２進入規制部３０、３１が貫通するものは、図１０に示すように、前板７１から周板７２にかけて前後方向に延出する形態とされている。そして、各進入規制受け溝７４は、各第１、第２進入規制部３０、３１のそれぞれと対応する位置に幅方向に並列に配置されている。なお、周板７２の下面には、リテーナ６０の下壁が挿入される部分が開口しており、リテーナ６０の下壁にも、複数の進入規制受け溝７４が周壁１２側から連続して形成されている。
【００３０】
ところで、本実施例の場合、周壁１２に各進入規制受け溝７４が形成されているため、周壁１２の板厚を確保するべくフロントマスク７０が径方向に拡張し、その分、フロントマスク７０が嵌合するフード部１０の開口寸法も大きくなるという事情がある。その結果、フード部１０内に前方から指等の異物が入り込み易く、該異物によって各タブ２０、２１が変形するおそれがある。
【００３１】
上記に鑑み、複数の進入規制部３０、３１、３２は、こうした異物が各タブ２０、２１に接触しないように、各タブ２０、２１との位置関係を考慮してその配列が決められている。詳しくは、図２に示すように、異物のモデルとして円柱部材２００が用意され、円柱部材２００の先端部が各タブ２０、２１に接触しないように、各進入規制部３０、３１、３２の位置が規定されている。この場合、円柱部材２００の先端部は、半球面状の球面を有する球面体２０１であって、例えば、指先や治具を模したものである。球面体２０１の高さ方向途中の平断面形状は円形をなし、球面体２０１の球面の中心軸上には頂点２０２が位置している。球面体２０１がフード部１０内に挿入されたときには、頂点２０２がフード部１０の奥側（後述する落とし込み空間３Ａ〜３Ｅ）に最も深く進出するようになっている。
【００３２】
ここで、図２に示すように、タブ２０、２１を挟んで隣接配置された複数の進入規制部３０、３１、３２の間には、フード部１０内に前方から円柱部材２００が挿入されたときに、球面体２０１が落とし込まれる落とし込み空間３Ａ〜３Ｅが形成されている。落とし込み空間３Ａ〜３Ｅはフード部１０内において幅方向に連続して複数配置されている。このため、図１に示すように、球面体２０１は、フード部１０内の幅方向一端から他端にかけて、各落とし込み空間３Ａ〜３Ｅ内に順次落とし込まれ、前後動しながら幅方向に移動可能とされている。
【００３３】
図１に示すように、フード部１０の図示左端では、左端のピン状タブ２０を挟んで高さ方向両側に位置する一対の左端の第１進入規制部３０（他の第１進入規制部３０に比べて幅広のもの）と、周壁１２の内面の左端との間に、落とし込み空間３Ａが形成される。この場合、図１及び図２に示すように、球面体２０１は、上記一対の第１進入規制部３０の各前端（各逆テーパ部３５の内端）に球面が支持され且つ周壁１２の内面の左端に当接した状態で、落とし込み空間３Ａ内に落とし込まれる。
【００３４】
また、ラップ領域では、ピン状タブ２０を挟んだ高さ方向両側に互いに隣接して配置される４つの第１進入規制部３０の間に、複数の落とし込み空間３Ｂが形成される。この場合、図１及び図３に示すように、球面体２０１は、上記４つの第１進入規制部３０の各前端に球面が支持された状態で、落とし込み空間３Ｂ内に落とし込まれる。
【００３５】
また、フード部１０の図示右側の中央寄りでは、右端のピン状タブ２０を挟んで高さ方向両側に位置する一対の右端の第１進入規制部３０と、第３進入規制部３２の厚肉縦壁３６との間に、落とし込み空間３Ｃが形成される。この場合、図１及び図４に示すように、球面体２０１は、上記一対の第１進入規制部３０の各前端と厚肉縦壁３６の前端とに球面が支持された状態で、落とし込み空間３Ｃ内に落とし込まれる。
【００３６】
また、フード部１０の図示右側では、左側の板状タブ２１を挟んだ幅方向両側に位置する厚肉縦壁３６及び薄肉縦壁３７と、周壁１２の内面の下端との間に、落とし込み空間３Ｄが形成される。この場合、図１、図５及び図７に示すように、球面体２０１は、上記厚肉縦壁３６及び薄肉縦壁３７の各前端に球面が支持され且つ周壁１２の内面の下端に当接した状態で、落とし込み空間３Ｄ内に落とし込まれる。
【００３７】
さらに、フード部１０の図示左端では、右側の板状タブ２１を挟んだ高さ方向両側に位置する一対の第２進入規制部３１と、周壁１２に内面の右端との間に、落とし込み空間３Ｅが形成される。この場合、図１及び図６に示すように、球面体２０１は、上記一対の第２進入規制部３１の各前端に球面が支持され且つ周壁１２の内面の右端に当接した状態で、落とし込み空間３Ｅ内に落とし込まれる。
【００３８】
既述したように、落とし込み空間３Ａ〜３Ｅ内には球面体２０１のうちの頂点２０２が最も深く進出するようになっているが、本実施例の場合、上記のいずれの落とし込み空間３Ａ〜３Ｅ内に球面体２０１が落とし込まれても、球面体２０１の頂点２０２がタブ２０、２１の先端と接触しないように担保されている。つまり、図１に示すように、各落とし込み空間３Ａ〜３Ｅ内に球面体２０１が落とし込まれた場合に、球面体２０１の頂点２０２と各タブ２０、２１の前端とが平面視で互いに異なる位置に配置されるように設定されている。
【００３９】
また、落とし込み空間３Ａ〜３Ｅ内に球面体２０１が落とし込まれた場合に、各タブ２０、２１が頂点２０２を含めて球面体２０１の球面のいずれの部分とも接触しないように担保されている。この場合、図２に示すように、落とし込み空間３Ａ等では、球面体２０１の頂点２０２よりも上位にピン状タブ２０が位置しており、つまり、球面体２０１とピン状タブ２０が高さ方向でラップする部分を有することもある。
【００４０】
以上説明したように、本実施例によれば、フード部１０内に前方から球面体２０１が挿入されると、球面体２０１の球面が隣接する複数の進入規制部３０、３１、３２の前端に当接して、球面体２０１の中心軸上の頂点２０２が落とし込み空間３Ａ〜３Ｅ内に進出することになるが、このとき、複数の落とし込み空間３Ａ〜３Ｅのいずれにおいても、タブ２０、２１が頂点２０２と平面視で異なる位置に配置されているため、頂点２０２にタブ２０、２１が干渉することはなく、球面体２０１のような異物によってタブ２０、２１が変形するのを防止することができる。
【００４１】
また、フード部１０内には、各第１進入規制部３０が整列して配置される整列領域と、各ピン状タブ２０が整列して配置される整列領域とが形成されているため、それぞれの整列領域内における各落とし込み空間３Ｂがほぼ同じ開口幅に揃えられる。その結果、球面体２０１が部分的に開口幅の広い落とし込み空間３Ｂに落とし込まれることがなく、各ピン状タブ２０が球面体２０１と干渉するのを効果的に回避することができる。
【００４２】
また、各第１進入規制部３０と各ピン状タブ２０とは幅方向でラップするラップ領域を有するため、落とし込み空間３Ｂ内に球面体２０１の頂点２０２が進出した場合に、タブ２０、２１が頂点２０２から離れて位置することになる。その結果、タブ２０、２１が球面体２０１と干渉するのをより確実に回避することができる。しかも、ラップ領域には、各第１進入規制部３０のそれぞれの幅方向中心と、各ピン状タブ２０のそれぞれの幅方向中心とが、幅方向で同じ位置に配置された同位相領域が含まれているため、ピン状タブ２０と第１進入規制部３０との位置関係が明確になり、配列の規則性が担保される。
【００４３】
さらに、ラップ領域では、第１進入規制部３０がピン状タブ２０よりも大きい幅寸法を有しているため、ピン状タブ２０が、第１進入規制部３０によって保護された状態となり、異物によって変形するのがより確実に防止される。
【００４４】
また、各第１、第２進入規制部３０、３１のそれぞれの前端が、落とし込み空間３Ａ〜３Ｅ側に向けて前方へ迫り出す逆テーパ部３５とされているため、フード部１０内に挿入された球面体２０１等の異物が落とし込み空間３Ａ〜３Ｅの外側に誘導されてタブ２０、２１と干渉するのをより確実に回避することができる。また、逆テーパ部３５の内端がほぼ先端尖がり状の形態をなすため、逆テーパ部３５の内端に指先が干渉して痛覚を感じることにより、指のそれ以上の挿入動作を阻止することができる。
【００４５】
さらに、第２進入規制部３１では、周壁１２の内面に連結される幅狭の基端部３３と、落とし込み空間３Ｅに臨む、基端部３３よりも幅広の先端部３４とを有しており、基端部３３が幅狭の形態とされることにより、成形時にフード部１０の周壁１２にヒケが生じたりするのを防止することができる一方、先端部３４が幅広の形態とされることで、異物と干渉可能な領域を広く確保することができて板状タブ２１が異物と干渉するのをより確実に防止することができる。
【００４６】
＜実施例２＞
図１２及び図１３は、本発明の実施例２を示す。実施例２では、各第１進入規制部３０の個数及び配列が実施例１とは異なるが、その他の構造は実施例１と同様である。このため、図面上、フード部の符号を１０Ａとする以外は、実施例１と同じ符号を付す。
【００４７】
各第１進入規制部３０は、実施例１と同様、周壁１２の内面の高さ方向両側においてそれぞれ幅方向に多数（３つ以上）配置され、幅方向に関してそれぞれ一定ピッチ離れて配置されている。もっとも、各第１進入規制部３０間のピッチは、実施例１における各第１進入規制部３０間のピッチのほぼ２倍とされ、各第１進入規制部３０の個数は、実施例１における各第１進入規制部３０の個数に対してほぼ半減されている。
【００４８】
また、各第１進入規制部３０は、幅方向で隣接する各ピン状タブ２０の間と対向する位置に配置され、且つ、高さ方向両側のそれぞれで幅方向に半ピッチずつ位置ずれして千鳥に配置されている。
【００４９】
この場合、図１３に示すように、落とし込み空間３Ｂは、ピン状タブ２０を挟んだ高さ方向両側で互いに隣接する３つの各第１進入規制部３０が取り囲む内側に形成される。このため、球面体２０１は、前記隣接する３つの各第１進入規制部３０の前端に球面が支持された状態で、落とし込み空間３Ｂ内に落とし込まれる。すると、図１３に示すように、球面体２０１の頂点２０２が落とし込み空間３Ｂ内に深く進出するが、頂点２０２を含む球面体２０１の球面が各ピン状タブ２０と接触することはない。なお、ピン状タブ２０は、実施例１と同様、平面視で頂点２０２と異なる位置に配置されている。
【００５０】
実施例２によれば、実施例１の利益を享受した上で、各第１進入規制部３０の個数を減ずることができる。
【００５１】
＜実施例３＞
図１４は、本発明の実施例３を示す。実施例３では、各第１進入規制部３０の個数及び配列が実施例１とは異なるが、その他の構造は実施例１と同様である。このため、図面上、フード部の符号を１０Ｂとする以外は、実施例１と同じ符号を付す。
【００５２】
各第１進入規制部３０は、実施例１と同様、周壁１２の内面の高さ方向両側においてそれぞれ幅方向に多数（３つ以上）配置され、幅方向に関してそれぞれ一定ピッチ離れて配置されている。もっとも、各第１進入規制部３０間のピッチは、実施例１における各第１進入規制部３０間のピッチのほぼ２倍とされ、各第１進入規制部３０の個数は、実施例１における各第１進入規制部３０の個数に対してほぼ半減されている。
【００５３】
また、各第１進入規制部３０は、各ピン状タブ２０のうち、一つ置きに配置された各ピン状タブ２０と幅方向で同じ位置に配置され、且つ、高さ方向両側のそれぞれで幅方向に半ピッチずつ位置ずれして千鳥に配置されている。
【００５４】
実施例３の場合も、実施例２と同様、落とし込み空間３Ｂ内に球面体２０１が落とし込まれると、球面体２０１の球面が隣接する３つの第１進入規制部３０の前端に支持されて各ピン状タブ２０と干渉するのが回避可能となっている。
【００５５】
＜実施例４＞
図１５は、本発明の実施例４を示す。実施例４では、第１進入規制部３０の個数及び配列が実施例１とは異なるが、その他の構造は実施例１と同様である。このため、図面上、フード部の符号を１０Ｃとする以外は、実施例１と同じ符号を付す。
【００５６】
各第１進入規制部３０は、実施例１と同様、周壁１２の内面の高さ方向両側においてそれぞれ幅方向に多数（３つ以上）配置され、幅方向に関してそれぞれ一定ピッチ離れて配置されている。もっとも、各第１進入規制部３０間のピッチは、実施例１における各第１進入規制部３０間のピッチのほぼ２倍とされ、各第１進入規制部３０の個数は、実施例１における各第１進入規制部３０の個数に対してほぼ半減されている。
【００５７】
また、各第１進入規制部３０は、幅方向で隣接する各ピン状タブ２０の間と対向する位置に配置され、且つ、高さ方向両側のそれぞれで幅方向に同じ位置に配置されている。
【００５８】
この場合、落とし込み空間３Ｂは、ピン状タブ２０を挟んだ高さ方向両側で互いに隣接する４つの各第１進入規制部３０が取り囲む内側に形成される。このため、球面体２０１は、前記隣接する４つの各第１進入規制部３０の前端に球面が支持された状態で、落とし込み空間３Ｂ内に落とし込まれる。球面体２０１が落とし込み空間３Ｂ内に落とし込まれたときに、各ピン状タブ２０と頂点２０２とは平面視で互いに異なる位置に配置され、頂点２０２を含む球面全体が各ピン状タブ２０と接触することはない。
【００５９】
＜実施例５＞
図１６は、本発明の実施例５を示す。実施例５では、第１進入規制部３０Ｄの形態が実施例１とは異なるが、その他の構造は実施例１と同様である。このため、図面上、第１進入規制部の符号を３０Ｄとし、フード部の符号を１０Ｄとする以外は、実施例１と同じ符号を付す。
【００６０】
第１進入規制部３０Ｄは、第２進入規制部３１と同様に、周壁１２の内面に連結される幅狭の基端部３３Ｄと、落とし込み空間３Ｂ側に臨む、基端部３３Ｄよりも幅広の先端部３４Ｄとを有している。もっとも、第１進入規制部３０Ｄは、第２進入規制部３１と異なり、先端部３４Ｄから基端部３３Ｄにかけて徐々に幅寸法を小さくする断面アリ状（断面鳩尾状）の形態とされている。実施例５によれば、第２進入規制部３１と同様に、各第１進入規制部３０Ｄにより、成形時にフード部１０の周壁１２にヒケが生じたりするのを防止することができるとともに、ピン状タブ２０が異物と干渉するのを効果的に防止することができる。
【００６１】
＜実施例６＞
図１７〜図１９は、本発明の実施例６を示す。実施例６では、第１進入規制部３０Ｅの形態及び周壁１２Ｅの外面側の形態が実施例１と異なるが、その他の構成は実施例１と同様である。よって、図面上、フード部の符号を１０Ｅとした上、実施例１と異なる部分以外は、実施例１と同じ符号を付す。
【００６２】
第１進入規制部３０Ｅは、上記実施例５とは逆に、図１７に示すように、周壁１２の内面に連結される基端側から落とし込み空間３Ｂ側に臨む先端側にかけて徐々に幅寸法を小さくする正面視略台形状、詳しくは等脚台形状の形態とされている。
【００６３】
また、周壁１２の外面には、各第１進入規制部３０Ｅと対向する反対側の位置となる背合わせ位置に、複数の肉盗み部３９が形成されている。図１８に示すように、各肉盗み部３９は、周壁１２の略後半部において各第１進入規制部３０Ｅに沿うよう前後方向に延出する形態とされている。また、図１９に示すように、各肉盗み部３９は、断面略Ｖ字形をなし、各第１進入規制部３０Ｅの内部に食い入る深さをもって構成されている。このため、各肉盗み部３９及び各第１進入規制部３０Ｅの形成領域では、周壁１２の厚み寸法が幅方向に大きく変化することなく連続して配置されている。
【００６４】
したがって、実施例６によれば、各肉盗み部３９により、成形時にフード部１０の周壁１２にヒケが生じたりするのを防止することができる。また、第１進入規制部３０Ｅの基端部の幅寸法を大きくとることができる。
【００６５】
＜実施例７＞
図２０及び図２１は、本発明の実施例７を示す。実施例７では、周壁１２の外面側の一部を除いて実施例６とほぼ同じ構造とされている。このため、図面上、フード部の符号を１０Ｆとした上、実施例６と異なる部分以外は、実施例６と同じ符号を付す。
【００６６】
周壁１２の後端部の外面には、図２０に示すように、幅方向に延出して幅方向両端に開口する一条の水抜き部４０が形成されている。水抜き部４０は、その延出途中で各肉盗み部３９の後部と略直角に交差して連通する形態とされている。図２１に示すように、水抜き部４０は、各肉盗み部３９とほぼ同じ深さを有し、幅方向にほぼ沿って配置されている。
【００６７】
実施例６の場合、周壁１２の外面に複数の肉盗み部３９が形成されているため、各肉盗み部３９に水が溜まるおそれがある。その点、実施例７によれば、周壁１２の外面に複数の水抜き部４０が形成されているため、各肉盗み部３９内に浸入した水を、水抜き部４０を通して外部に排水することができる。したがって、肉盗み部３９内に水溜まりが発生するのを防止することができる。
【００６８】
＜実施例８＞
図２２及び図２３は、本発明の実施例８を示す。実施例８では、第１進入規制部３０Ｇの形態が実施例１とは異なるが、その他の構造は実施例１と同様である。このため、図面上、第１進入規制部の符号を３０Ｇとし、フード部の符号を１０Ｇとする以外は、実施例１と同じ符号を付す。
【００６９】
第１進入規制部３０Ｇは、奥壁１１の前面から前方へ突出する棒状、詳細には略角柱状の形態とされ、周壁１２の内面には連結されずに同内面から離間して配置されている。第１進入規制部３０Ｇの配列は、実施例１と同様であり、逆テーパ部３５を有する点も第１進入規制部３０等と同様である。
【００７０】
実施例８によれば、実施例１〜７と違って、第１進入規制部３０Ｇが周壁１２の内面に連結されていないため、成形時に周壁１２にヒケが生じたり周壁１２が倒れたりするのをより確実に防止することができる。なお、第３進入規制部３２も、周壁１２の内面に非連結とされるため、第１進入規制部３０Ｇと同様、周壁１２にヒケを生じさせる要因にならない。
【００７１】
＜他の実施例＞
本発明は上記記述及び図面によって説明した実施形態に限定されるものではなく、例えば次のような実施形態も本発明の技術的範囲に含まれる。
（１）各第１進入規制部間のピッチは同一でなくともよい。
（２）各ピン状タブ間のピッチは同一でなくともよい。
（３）各第１進入規制部の幅方向中心と、各ピン状タブの幅方向中心とが、同一である領域を含まない構成であってもよい。
（４）各第１進入規制部が、各ピン状タブと同じ幅寸法を有するものであってもよい。
（５）第１、第２進入規制部の前端は高さ方向に沿った鉛直面状の形態であってもよい。
（６）基端部が幅狭で且つ先端部が幅広の形態をなす進入規制部（実施例５の第１進入規制部及び第２進入規制部）は、１つだけ形成されるものであってもよい。
【符号の説明】
【００７２】
３Ａ〜３Ｃ…落とし込み空間
１０…フード部
１１…奥壁
１２…周壁
２０…ピン状タブ（タブ）
２１…板状タブ（タブ）
３０…第１進入規制部（進入規制部）
３１…第２進入規制部（進入規制部）
３２…第３進入規制部（進入規制部）
３３…基端部
３４…先端部
３５…逆テーパ部
３９…肉盗み部
４０…水抜き部
２０１…球面体
２０２…頂点
【図１】
2014053146.tif 000003
【図２】
2014053146.tif 000004
【図３】
2014053146.tif 000005
【図４】
2014053146.tif 000006
【図５】
2014053146.tif 000007
【図６】
2014053146.tif 000008
【図７】
2014053146.tif 000009
【図８】
2014053146.tif 000010
【図９】
2014053146.tif 000011
【図１０】
2014053146.tif 000012
【図１１】
2014053146.tif 000013
【図１２】
2014053146.tif 000014
【図１３】
2014053146.tif 000015
【図１４】
2014053146.tif 000016
【図１５】
2014053146.tif 000017
【図１６】
2014053146.tif 000018
【図１７】
2014053146.tif 000019
【図１８】
2014053146.tif 000020
【図１９】
2014053146.tif 000021
【図２０】
2014053146.tif 000022
【図２１】
2014053146.tif 000023
【図２２】
2014053146.tif 000024
【図２３】
2014053146.tif 000025